(57)【要約】【課題】圧縮処理と墨入れ処理による画質劣化を低減し、特に無彩色を多く含む画像で高圧縮率な圧縮を実現し、さらに信号変換を行う際の圧縮画像と非圧縮画像両方の画質の差を低減して高画質な画像を生成する。【解決手段】制御回路１１００が全体を制御し、原稿画像をスキャナ１００１で読み取り、色変換部でＲＧＢ信号からＣＭＹ信号に変換し、墨入れ処理部１００３でＣＭＹ信号からＣ’Ｍ’Ｙ’Ｋ信号を生成し、この墨入れ処理の後に圧縮部１００４でＣ’Ｍ’Ｙ’Ｋ信号を周波数変換方式で圧縮してメモリ１００５に格納し、メモリ１００５に格納した圧縮データを復号部１００６で復号してプリンタエンジン１００７で印字する。【選択図】図１
2008312264.tif 000002
【特許請求の範囲】
【請求項１】
画像信号に墨入れ処理を行ってＣ’Ｍ’Ｙ’画像信号とＫ画像信号とを生成する処理手段と、
このＣ’Ｍ’Ｙ’画像信号とＫ画像信号の高周波成分を除いてこの高周波成分よりも周波数の低い成分である低周波成分を符号化すべく周波数変換方式で圧縮する圧縮手段と、
この圧縮手段で圧縮された前記Ｃ’Ｍ’Ｙ’画像信号と前記Ｋ画像信号とを記憶する記憶手段と、
この記憶手段に記憶された前記Ｃ’Ｍ’Ｙ’画像信号とK画像信号とを前記周波数変換方式で復号する復号手段と、
を具備したことを特徴とする画像処理装置。
【請求項２】
入力されるＲＧＢ画像信号をＣＭＹ画像信号へ変換する色変換手段と、
このＣＭＹ画像信号に墨入れ処理を行ってＣ’Ｍ’Ｙ’画像信号とＫ画像信号とを生成する処理手段と、
このＣ’Ｍ’Ｙ’画像信号とＫ画像信号の高周波成分を除いてこの高周波成分よりも周波数の低い成分である低周波成分を符号化すべく周波数変換方式で圧縮する圧縮手段と、
この圧縮手段で圧縮された前記Ｃ’Ｍ’Ｙ’画像信号と前記Ｋ画像信号とを記憶する記憶手段と、
この記憶手段に記憶された前記Ｃ’Ｍ’Ｙ’画像信号とK画像信号とを前記周波数変換方式で復号する復号手段と、
を具備したことを特徴とする画像処理装置。
【請求項３】
画像信号に墨入れ処理を行ってＣ’Ｍ’Ｙ’画像信号とＫ画像信号とを生成する処理手段と、
このＣ’Ｍ’Ｙ’画像信号とＫ画像信号の高周波成分を除いてこの高周波成分よりも周波数の低い成分である低周波成分を符号化すべく周波数変換方式で圧縮する圧縮手段と、
この圧縮手段で圧縮された前記Ｃ’Ｍ’Ｙ’画像信号と前記Ｋ画像信号とを記憶する記憶手段と、
この記憶手段に記憶された前記Ｃ’Ｍ’Ｙ’画像信号とK画像信号とを前記周波数変換方式で復号する復号手段と、
この復号手段で復号された前記Ｃ’Ｍ’Ｙ’画像信号と前記Ｋ画像信号とに基づいた出力を行うプリントエンジンと、
を具備したことを特徴とする画像処理装置。
【請求項４】
入力されるＲＧＢ画像信号をＣＭＹ画像信号へ変換する色変換手段と、
このＣＭＹ画像信号に墨入れ処理を行ってＣ’Ｍ’Ｙ’画像信号とＫ画像信号とを生成する処理手段と、
このＣ’Ｍ’Ｙ’画像信号とＫ画像信号の高周波成分を除いてこの高周波成分よりも周波数の低い成分である低周波成分を符号化すべく周波数変換方式で圧縮する圧縮手段と、
この圧縮手段で圧縮された前記Ｃ’Ｍ’Ｙ’画像信号と前記Ｋ画像信号とを記憶する記憶手段と、
この記憶手段に記憶された前記Ｃ’Ｍ’Ｙ’画像信号とK画像信号とを前記周波数変換方式で復号する復号手段と、
この復号手段で復号された前記Ｃ’Ｍ’Ｙ’画像信号と前記Ｋ画像信号とに基づいた出力を行うプリントエンジンと、
を具備したことを特徴とする画像形成装置。
【請求項５】
原稿画像を読取って画像信号を生成するスキャナと、
この画像信号に墨入れ処理を行ってＣ’Ｍ’Ｙ’画像信号とＫ画像信号とを生成する処理手段と、
このＣ’Ｍ’Ｙ’画像信号とＫ画像信号の高周波成分を除いてこの高周波成分よりも周波数の低い成分である低周波成分を符号化すべく周波数変換方式で圧縮する圧縮手段と、
この圧縮手段で圧縮された前記Ｃ’Ｍ’Ｙ’画像信号と前記Ｋ画像信号とを記憶する記憶手段と、
この記憶手段に記憶された前記Ｃ’Ｍ’Ｙ’画像信号とK画像信号とを前記周波数変換方式で復号する復号手段と、
この復号手段で復号された前記Ｃ’Ｍ’Ｙ’画像信号と前記Ｋ画像信号とに基づいた出力を行うプリントエンジンと、
を具備したことを特徴とする画像形成装置。
【請求項６】
原稿画像を読取ってＲＧＢ画像信号を生成するスキャナと、
このＲＧＢ画像信号をＣＭＹ画像信号へ変換する色変換手段と、
このＣＭＹ画像信号に墨入れ処理を行ってＣ’Ｍ’Ｙ’画像信号とＫ画像信号とを生成する処理手段と、
このＣ’Ｍ’Ｙ’画像信号とＫ画像信号の高周波成分を除いてこの高周波成分よりも周波数の低い成分である低周波成分を符号化すべく周波数変換方式で圧縮する圧縮手段と、
この圧縮手段で圧縮された前記Ｃ’Ｍ’Ｙ’画像信号と前記Ｋ画像信号とを記憶する記憶手段と、
この記憶手段に記憶された前記Ｃ’Ｍ’Ｙ’画像信号とK画像信号とを前記周波数変換方式で復号する復号手段と、
この復号手段で復号された前記Ｃ’Ｍ’Ｙ’画像信号と前記Ｋ画像信号とに基づいた出力を行うプリントエンジンと、
を具備したことを特徴とする画像形成装置。
【発明の詳細な説明】
【技術分野】
【０００１】
この発明は、電子化された画像を鮮鋭化や平滑化などにより高画質化するための画像処理装置に関する。
【背景技術】
【０００２】
従来カラープリンタやカラー複写機、印刷分野等、トナーやインクを用いて紙等に印字するシステムにおいては、Ｃ，Ｍ，Ｙ，Ｋ信号を組み合わせて出力している。しかし、出力する元原稿は、スキャナ等の光学系の読み取り手段を用いるためＲ，Ｇ，Ｂ信号であり、３信号から４信号に変換する処理が必要である。変換処理としては、ＲＧＢ信号から直接ＣＭＹＫ信号に変換する方式や、ＲＧＢ信号からＣＭＹ信号に変換後ＣＭＹＫ信号を生成する墨入れ処理がある。
【０００３】
一方、入出力する画像のデータ量が、６００ｄｐｉ／Ａ４（８ｂｉｔ）で１００ＭＢ（ＲＧＢ）や１３３ＭＢ（ＣＭＹＫ）にもなるため、圧縮処理を行ってメモリ容量の低減を図ることが必要である。また、非可逆な圧縮を用いると非圧縮画像とは画質が異なるため、圧縮を用いた場合の画質劣化を抑える必要がある。これらの要求に応える技術として、例えば下記の文献に開示されるものがあった。
【０００４】
文献１：矢部隆司、特開平８−１８８０７号公報
文献２：山内隆広、「圧縮情報の処理による画像加工」ＰＣＳＪ９１、２−４，ｐｐ３７−４０，１９９１−１０
前記文献１に開示される方法は、圧縮処理前段に平滑処理を設けることでスキャナ等入力機器のノイズによる画質劣化を、圧縮処理で強調してしまうことを防ぐものである。
【０００５】
前記文献２に開示される方法は、圧縮処理で用いられる周波数変換の１つであるＤＣＴ方式を用いて圧縮した符号のまま拡大・縮小やフィルタリング処理を行うものである。
【０００６】
しかしながら、前記文献１に開示される方法では、圧縮処理による画質の劣化を低減することはできるが、圧縮後に墨入れ処理としてＵＣＲ（Under Color Reduction）処理を行い３色信号を４色信号に変換する際の量子化による画質劣化を低減することは行われていない。また、常に圧縮処理を行った画像に対しＵＣＲ以下の処理を行うが非圧縮画像と圧縮画像両方を扱うようには考慮されておらず、文字や写真等画像の性質に応じた３色信号から４色信号への変換処理もなされていない。
【０００７】
また、前記文献２に開示される方法は、圧縮した形熊でのフィルタリング処理等は行うが圧縮処理と他の画像処理との整合性等には触れられていない。
【発明の開示】
【発明が解決しようとする課題】
【０００８】
上記したように、圧縮処理による画質の劣化を低減することはできるが、圧縮後に墨入れ処理としてＵＣＲ（Under Color Reduction）処理を行い３色信号を４色信号に変換する際の量子化による画質劣化を低減することが行われず、また、常に圧縮処理を行った画像に対しＵＣＲ以下の処理を行うが非圧縮画像と圧縮画像両方を扱うようには考慮されておらず、文字や写真等画像の性質に応じた３色信号から４色信号への変換処理もなされず、さらに、圧縮した形熊でのフィルタリング処理等は行うが圧縮処理と他の画像処理との整合性等には触れられていないという問題があった。
【０００９】
そこで、この発明は、圧縮処理と墨入れ処理による画質劣化を低減し、特に無彩色を多く含む画像で高圧縮率な圧縮を実現し、さらに信号変換を行う際の圧縮画像と非圧縮画像両方の画質の差を低減して高画質な画像を生成する画像処理装置を提供することを目的とする。
【課題を解決するための手段】
【００１０】
この発明の画像処理装置は、入力されるカラー画像信号の色を出力する際の条件にあわせて変換する色変換手段と、この色変換手段で変換された画像信号に墨入れ処理を行う処理手段と、この処理手段で墨入れ処理された画像信号を周波数変換方式で圧縮する圧縮手段と、この圧縮手段で圧縮された画像信号を周波数変換方式で復号する復号手段とから構成されている。
【００１１】
この発明の画像処理装置は、入力されるカラー画像信号を圧縮する圧縮手段と、この圧縮手段で圧縮された画像信号を復号する復号手段と、この復号手段で復号された画像信号を出力する際の条件にあわせて色分解信号に変換する第１の色変換手段と、上記入力されるカラー画像信号を出力する際の条件にあわせて色分解信号に変換する第２の色変換手段と、上記第１の色変換手段からの色分解信号と上記第２の色変換手段からの色分解信号とを切り替える切替手段と、この切替手段による切り替えを制御する制御手段とから構成されている。
【００１２】
この発明の画像処理装置は、入力されるカラー画像信号を色分解信号に変換する第１の色変換手段と、この第１の色変換手段とは異なる上記入力されるカラー画像信号を色分解信号に変換する第２の色変換手段と、上記第１の色変換手段からの色分解信号と上記第２の色変換手段からの色分解信号とを切り替える切替手段と、この切替手段による切り替えを上記入力されるカラー画像信号の性質に応じて制御する制御手段とから構成されている。
【００１３】
この発明の画像処理装置は、入力されるカラー画像信号の入力を切り替える切替手段と、この切替手段で一方に切り替えられた際、上記入力されるカラー画像信号を圧縮する圧縮手段と、この圧縮手段で圧縮された画像信号を復号する復号手段と、上記切替手段で一方に切り替えられた場合は上記復号手段で復号された画像信号、上記切替手段で他方に切り替えられた場合は上記入力されるカラー画像信号を色分解信号に変換する色変換手段と、この色変換手段で変換された色分解信号に、設定された墨率で墨入れ処理を行う処理手段と、上記切替手段の切り替えを制御すると共に上記切替手段を一方に切り替えた場合と他方に切り替えた場合とで上記処理手段に異なる墨率を設定する制御手段とから構成されている。
【００１４】
この発明の画像処理装置は、入力されるカラー画像信号の入力を切り替える切替手段と、この切替手段で一方に切り替えられた際、上記入力されるカラー画像信号を圧縮する圧縮手段と、この圧縮手段で圧縮された画像信号を復号する復号手段と、上記切替手段で一方に切り替えられた場合は上記復号手段で復号された画像信号、上記切替手段で他方に切り替えられた場合は上記入力されるカラー画像信号を色分解信号に変換する色変換手段と、この色変換手段で変換された色分解信号に墨入れ処理を行う処理手段と、上記切替手段の切り替えを制御すると共に上記切替手段を一方に切り替えた場合と他方に切り替えた場合とで上記処理手段に異なる方法の墨入れ処理を設定する制御手段とから構成されている。
【００１５】
この発明の画像処理装置は、入力されるカラー画像信号を第１の墨入れ方式を用いて色分解信号に変換する第１の色変換手段と、上記入力されるカラー画像信号を第２の墨入れ方式を用いて色分解信号に変換する第２の色変換手段と、上記第１の色変換手段からの色分解信号と上記第２の色変換手段からの色分解信号とを切り替える切替手段と、この切替手段による切り替えを制御する制御手段とから構成されている。
【００１６】
この発明の画像処理装置は、入力されるカラー画像信号を色分解信号に変換する色変換手段と、この色変換手段で変換された色分解信号に、設定された墨率で墨入れ処理を行う処理手段と、上記入力されるカラー画像信号の文字や写真等の画像を識別する識別手段と、この識別手段の識別結果に応じて上記処理手段に異なる墨率を設定する設定手段とから構成されている。
【００１７】
この発明の画像処理装置は、入力されるカラー画像信号を第１の墨入れ方式を用いて色分解信号に変換する第１の色変換手段と、上記入力されるカラー画像信号を第２の墨入れ方式を用いて色分解信号に変換する第２の色変換手段と、上記第１の色変換手段からの色分解信号と上記第２の色変換手段からの色分解信号とを切り替える切替手段と、上記入力されるカラー画像信号の文字や写真等の画像を識別する識別手段と、この識別手段の識別結果に応じて上記切替手段による切り替えを制御する制御手段とから構成されている。
【発明の効果】
【００１８】
以上詳述したようにこの発明によれば、圧縮処理と墨入れ処理による画質劣化を低減し、特に無彩色を多く含む画像で高圧縮率な圧縮を実現し、さらに信号変換を行う際の圧縮画像と非圧縮画像両方の画質の差を低減して高画質な画像を生成する画像処理装置を提供することができる。
【発明を実施するための最良の形態】
【００１９】
以下、この発明の一実施の形態について図面を参照して説明する。
【００２０】
図１は、この発明に係る第１実施例の画像処理装置を適用したデジタルカラー複写機の全体構成を示すものである。このデジタルカラー複写機は、原稿を画像データとして読み取るスキャナ１００１、入力画像をインク信号ＣＭＹに変換する色変換部１００２、ＣＭＹ信号からＣ’Ｍ’Ｙ’Ｋ信号を生成する墨入れ処理部１００３、Ｃ’Ｍ’Ｙ’Ｋ信号を圧縮する圧縮部１００４、圧縮データを格納するメモリ１００５、圧縮データを復号する復号部１００６、復号データを印字するプリンタエンジン１００７、及び複写動作全体を制御する制御回路１１００とから構成されている。
【００２１】
次に、このデジタルカラー複写機の処理概要について説明する。
【００２２】
デジタルカラー複写機の基本動作は、複写対象の原稿画像をスキャナ１００１より読み取ってＲＧＢ信号１００８に変換し、色変換部１００２でＣＭＹ信号１００９に変換し、さらに墨入れ処理部１００３でＣ’Ｍ’Ｙ’Ｋ信号１０１０に変換し、圧縮部１００４で圧縮して圧縮信号１０１１をメモリ１００５に格納する。圧縮信号１０１１は、随時メモリ１００５から読み出され、復号部１００６で復号信号１０１２を生成してプリンタエンジン１００７で出力することによって原稿画像の複写を得るものである。
【００２３】
次に、墨入れ処理部１００３の動作について図２に示す構成例を用いて説明する。墨入れ処理部１００３は、最小値回路１００３−１、乗算回路１００３−２、差分回路１００３−４，１００３−５，１００３−６とから構成されている。
【００２４】
墨入れ処理は、下記式に示す処理を行ってＣＭＹ信号からＣ’Ｍ’Ｙ’Ｋ信号を生成する。
【００２５】
Ｋ＝ｋ×ｍｉｎ（Ｃ、Ｍ、Ｙ）（ｍｉｎ：Ｃ、Ｍ、Ｙ中の最小値）
（ｋ：墨率、１００％→１、０％→０）
Ｃ’＝Ｃ−ＫＭ’＝Ｍ−ＫＹ’＝Ｙ−Ｋ今、墨率１００％として動作を説明すると、ＣＭＹ信号から最小値回路１００３−１を用いて最小値を求め、乗算回路１００３−２を用いて墨率ｋ１００３−３を乗算し、Ｋ信号１０１０−４を生成し、差分回路１００３−４，１００３−５，１００３−６を用いてＣ’１０１０−１、Ｍ’１０１０−２、Ｙ’１０１０−３を生成する。
【００２６】
図３に具体的な数値で変換結果を示す。図３の（ａ）に示すようにノイズ等による信号のバラ付きがＣやＭは隣接画素との差分が５だったものが、図３の（ｂ）に示すように墨入れ後のＣ’やＭ’では最大１５にまで拡大していることが分かる。
【００２７】
次に、圧縮部１００４について図４の構成例を用いて説明する。圧縮部１００４は、ラインメモリ１００４−１、ＤＣＴ１００４−２、符号化器１００４−３とから構成されている。
【００２８】
ラインメモリ１００４−１は、ラスタ単位で送られてくる信号をＤＣＴ１００４−２で４×４画素のブロック単位で扱えるよう値を保持する。ＤＣＴ１００４−２は既知の４×４単位で下記数１のＤＣＴ演算を行う。
【数１】
2008312264.tif 000003
【００２９】
Ｎはブロック数＝４、ｘ［ｍ、ｎ］は画素値、Ｘ［ｕ、ｖ］はＤＣＴ係数。
【００３０】
次に、ＤＣＴ演算結果１００４−４（Ｃは１００４−４−１、Ｍは１００４−４−２、Ｙは１００４−４−３、Ｋは１００４−４−４）を符号化器１００４−３で符号化して圧縮信号１０１１として出力し、メモリ１００５に格納する。
【００３１】
一般に画像信号では、周波数変換を行うと高周波成分より低周波成分にスペクトルが集まるため、低周波成分のみを符号化することで非可逆の圧縮効率の良い圧縮が行える。
【００３２】
１信号に対する４×４のＤＣＴ演算結果及び圧縮信号の例を図５に示す。単純に８ｂｉｔの画像信号をＤＣＴ変換後、符号化器１００４−３で高周波の６周波数成分を除いて、残りの周波数成分（黒枠）に各々１０ｂｉｔを割り当てるだけで約２０％符号量を削減できる。本例のように、周波数変換を用いて低周波成分の符号化を行うことは一般に行われているため概略説明のみとするが、同様の処理をＣＭＹＫ各信号に対して行う。
【００３３】
次に、復号部１００６の動作を図６を用いて説明する。
【００３４】
圧縮信号１０１１をメモリ１００５から読み出し、下記数２の逆ＤＣＴ演算を行って画像信号に復号する。
【数２】
2008312264.tif 000004
【００３５】
Ｎはブロック数＝４、Ｘ［ｕ、ｖ］はＤＣＴ係数、ｘ［ｍ、ｎ］は復号画素値。
【００３６】
図６の（ｂ）に示す復号画像信号では、図５に示す原画像に比較して画素値のバラ付きが少なくなっている。これは、周波数変換を用いる圧縮方式が一般的に高周波成分を除いて符号化を行うために、圧縮処理がローパス処理を合わせて行ったためである。さらに、本実施例のように墨入れ後に周波数変換を用いる圧縮では、図３に示すＹ’のように墨入れ後はある色成分の値の変動が局所的に小さくなり、無彩色近傍の画素値等はＫ以外の成分が０に近づくので、墨入れ後の圧縮に周波数変換方式を用いることで圧縮効率を高めることが出来る。
【００３７】
４×４のＣＭＹ信号に対して墨入れ、圧縮・復号した例を図７に示す。本実施例では、符号化器１００４−３を固定長符号化で説明したが、図７に示すＹ’のように０が多い信号や、Ｙ’やＭ’信号のように小さい値だけで構成される信号は、可変長符号化を行えば更なる圧縮率を達成できる。
【００３８】
以上説明したように上記第１実施例によれば、墨入れ後に周波数変換方式の圧縮を用いることで、ローパス効果により墨入れ処理によるノイズを抑えるとともに墨入れ処理の特徴から圧縮効率も高めることができる。
【００３９】
なお、本実施例では墨入れ方式としてＵＣＲを挙げたが、ＧＣＲ（Gray Component Removal）等の他の墨入れ方式を用いることも可能である。
【００４０】
次に、第２実施例について説明する。
【００４１】
図８は、この発明に係る第２実施例の画像処理装置を適用したデジタルカラー複写機の全体構成を示すものである。
【００４２】
このデジタルカラー複写機は、原稿をＲＧＢ画像信号として読み取るスキャナ２００１、画像信号を圧縮部２００３もしくは色変換部（２）２００７に送出するセレクタ２００２、画像信号を圧縮・格納・復号する圧縮部２００３、メモリ２００４、復号部２００５、圧縮・復号信号をプリンタ用ＣＭＹＫ信号に変換する色変換部（１）２００６、非圧縮信号をプリンタ用ＣＭＹＫ信号に変換する色変換部（２）２００７、色変換部２００６もしくは色変換部２００７の信号を選択してプリンタエンジン２００９に送出するセレクタ２００８、画像を印字出力するプリンタエンジン２００９、及び複写動作全体を制御する制御回路２１００とから構成されている。
【００４３】
このデジタルカラー複写機の処理概要について説明する。通常複写時に制御回路２１００は、切替え信号２０１６により、スキャナ２００１からのＲＧＢ画像信号２０１０をセレクタ２００２で色変換部２００７に送出し、色変換部２００７でプリンタエンジン２００９で印字出力できるＣＭＹＫ信号に変換し、セレクタ２００８でプリンタエンジン２００９に送出し印字出力する。
【００４４】
図９に示すような電子ソートと呼ばれる機能を動作する時は、ＲＧＢ画像信号２０１０をセレクタ２００２で圧縮部２００３に送出し、非可逆の圧縮処理を行って圧縮データ２０１１をメモリ２００４に格納する。そして、任意の圧縮データをメモリ２００４より読み出し、復号部２００５で復号して色変換部２００６でＣＭＹＫ信号に変換し、セレクタ２００８でプリンタエンジン２００９に送出し印字出力する。
【００４５】
次に、圧縮部２００３、復号部２００５の動作について図１０、図１１を用いて説明する。圧縮処理は、図１０に示すように、図１１に示す閾値及び量子化値で既知の４値の１次元誤差拡散処理を行う。ＲＧＢ信号の各８ｂｉｔで計２４ｂｉｔが、ＲＧＢ信号の各２ｂｉｔの代表値の計６ｂｉｔと２５％のデータ量に圧縮される。圧縮データ２０１１は、メモリ２００４に格納後、復号部２００５で復号される。
【００４６】
次に、色変換部（１）２００６、色変換部（２）２００７について説明する。色変換処理は、ＲＧＢ３信号をプリンタエンジン２００９で印字するＣＭＹＫ４信号に変換する処理である。図１２に色変換のテーブル例を示すが、８ｂｉｔのＲＧＢ３信号の入力全ての値をルックアップテーブル（ＬＵＴ）で持つと２５６×２５６×２５６（入力ＲＧＢ）×４×８ｂｉｔ（出力ＣＭＹＫ）＝６４Ｍｂｙｔｅにもなり、図１２に示すように入力ＲＧＢは全ての場合を持たずに一定間隔間引いたテーブルを持ち既知の補間出力を行う。本例では１５刻みで持つためＬＵＴは２３ＫＢで済む。
【００４７】
しかしながら、非圧縮データと圧縮データを同一の方式で色変換すると数画素の単位で見ても両者の変換誤差が大きくなる。そこで、色変換部２００７は図１３、色変換部２００６は図１４に示すように同一の補間ＬＵＴ２００７−１を使って構成する。
【００４８】
色変換部２００６は、図１４に示すようにＤ−ＦＦ１００６−１〜１００６−９、平均回路２００６−１１〜１００６−１３、及び補間ＬＵＴ２００７−１とから構成され、補間ＬＵＴ２００７−１の入力前に数画素の平均をとることで両者の変換誤差を小さくしている。
【００４９】
図１５は、変換例を示すものである。図１５の（ａ）に示す原画像２０１０の図１５の（ｂ）に示す圧縮画像信号（復号信号）２０１２を、圧縮時に色変換部（２）２００７を用いて変換した場合を図１５の（ｆ）に示し、圧縮時に色変換部２００６を用いて変換した場合を図１５の（ｃ）、（ｅ）に示し、非圧縮時に色変換部（２）２００７を用いて変換した場合を図１５の（ｆ）に示す。圧縮時に色変換部（２）２００７を用いて変換したより、色変換部２００６を用いた方が変換誤差が少なく、圧縮・非圧縮画像の差が小さくなっていることが分かる。
【００５０】
以上説明したように上記第２実施例によれば、圧縮時と非圧縮時で色変換を変えることで両者の色味の差を小さくすることができる。なお、本実施例では色変換テーブルを共通化したが、圧縮用、非圧縮用に別途設けるように構成してもよい。
【００５１】
次に、第２実施例の変形例を説明する。
【００５２】
図１６は、第２実施例の変形例の画像処理装置を適用したデジタルカラー複写機の全体構成を示すものである。
【００５３】
図１６において、色変換部（３）２０１７及び墨入れ処理部２０１８が異なるだけで、他の処理は第２実施例と共通のため同一符号を付して説明を省略し、色変換部２０１７及び墨入れ処理部２０１８について説明する。
【００５４】
図１７に色変換部２０１７のテーブルを示すが、ＲＧＢ信号入力に対しＣＭＹ信号を出力するテーブルで、第２実施例と同様に１５刻みで構成され、入力値に対して既知の補間出力を行う。
【００５５】
図１８は、墨入れ処理部２０１８の構成例を示すものである。墨入れ処理部２０１８は、最小値回路２０１８−１、乗算回路２０１８−２、差分回路２０１８−４〜２０１８−６、及び墨率メモリ２０１８−７とから構成されている。
【００５６】
制御回路２１００からの切替え信号２０１６により墨率メモリ２０１８−７から墨率ｋ２０１８−３を圧縮用と非圧縮用とを切り替えて出力する以外は第１実施例と同様である。
【００５７】
図１９は、圧縮画像及び非圧縮画像に対する色変換及び墨入れ処理の比較を示すものである。圧縮画像と非圧縮画像を同じ墨率で処理すると信号のバラ付きが大きく、非圧縮時の墨率１００％を圧縮時に５０％の墨率に切り替えることで圧縮画像のバラ付きが抑えられているのが分かる。
【００５８】
以上説明したように上記第２実施例の変形例によれば、圧縮時と非圧縮時で墨入れ処理の墨率を変えることで圧縮処理による値のバラ付き度合いを抑えることができ、画質に与える妨害感を改善することができる。
【００５９】
なお、本実施例では同一墨入れ方式で墨率を切り替えたが、墨入れ方式そのものを切り替えるよう構成しても同様に画質を改善することができる。
【００６０】
次に、第３実施例について説明する。
【００６１】
図２０は、この発明の第３実施例に係る画像処理装置を適用したデジタルカラー複写機の全体構成を示すものである。
【００６２】
このデジタルカラー複写機は、原稿を読み取るスキャナ３００１、画像信号３００６に対し文字／写真の識別信号３００７を生成する識別装置３００２、画像信号３００６をプリンタ用ＣＭＹ信号に変換する色変換３００３、墨入れ処理を行ってＣＭＹ信号からＣ’Ｍ’Ｙ’Ｋ信号を生成する墨入れ処理部３００４、画像を印字するプリンタエンジン３００５より構成されている。
【００６３】
このデジタルカラー複写機の処理概要について説明する。識別装置３００２で、ＲＧＢ画像信号３００６が文字か写真かを識別する識別信号３００７を生成し、ＲＧＢ画像信号３００６を色変換３００３でＣＭＹ信号３００８に変換する。ＣＭＹ信号３００８から、識別信号３００７に応じて墨入れ処理部３００４の墨率を変更してＣ’Ｍ’Ｙ’Ｋ信号３００９を出力し、プリンタエンジン３００５で印字出力する。
【００６４】
図２１は、識別装置３００２の構成例を示すものである。識別装置３００２は、ラインメモリ３００２−１、平均処理回路３００２−２−１〜３００２−２−４、セレクタ３００２−３、Ｄ−ＦＦ３００２−１２−１〜３００２−１２−１２、最大値比較器３００２−７、最小値比較器３００２−８、差分器３００２−９、及び比較器３００２−１１とから構成されている。
【００６５】
識別装置３００２は、図２２に示すようにＲＧＢ信号の平均値の３×３マトリクス内の（最大値−最小値）が差分閾値３００２−１０より大きければ変化が大きい画素として文字、小さければ写真と判定する。動作はラインメモリ３００２−１にライン単位のデータを格納し、平均処理回路３００２−２でＲＧＢ３信号の平均を求める。セレクタ３００２−３で平均処理した結果及び平均未処理のデータを４ライン中３ラインを取り出す様に選択出力する。
【００６６】
このように構成することでスキャナ３００１を止めることなくラスタデータを処理する。そして、各ライン毎に最大値比較器３００２−７及び最小値比較器３００２−８に出力し、差分器３００２−９で両者の差を求め、比較器３００２−１１で差分閾値３００２−１０と比較し、大きければ文字として識別信号３００７に「１」を、小さければ写真として識別信号３００７に「０」を出力する。
【００６７】
図２３は、墨入れ処理部３００４の構成例を示すものである。墨入れ処理部３００４は、最小値回路３００８−１、乗算回路３００８−２、差分回路３００８−４〜３００８−６、及び墨率メモリ３００８−７とから構成されている。
【００６８】
識別装置３００２からの識別信号３００７により墨率メモリ３００８−７から墨率ｋ３００８−３を文字用と写真用とに切り替えて出力する以外は第１実施例と同様である。
【００６９】
また、色変換部３００３は第２実施例の変形例と同様であり、図２４に示す動作は図１７の値をもとに説明する。
【００７０】
図２４は、文字及び写真で墨率を切り替える例を示す。図２４の（ａ）に示すように黒文字等は、Ｋ１色で印字され易いため黒々とした出力が得られる。図２４の（ｂ）に示すように写真等は、Ｋの量が少なく抑えられるので色味を保持した出力画像を得ることが出来る。
【００７１】
以上説明したように上記第３実施例によれば、文字と写真で墨率を変えるので文字や写真に適した色再現を実現することができる。
【００７２】
なお、本実施例では同一墨入れ方式で墨率を変えたが、墨入れ方式を変えることでも同様に画質改善をはかることができる。
【００７３】
以上説明したように上記発明の実施の形態によれば、墨入れ処理後に周波数変換方式を用いた圧縮を行うので、圧縮のフィルタ効果により墨入れ処理時のノイズを低減でき、さらに圧縮効率を高めることが出来る。
【００７４】
また、圧縮時と非圧縮時において色変換方式や墨率・墨入れ方式を切り替えることにより、圧縮時・非圧縮時の色の差を小さくすることができる。
【００７５】
さらに、識別処理により文字と写真等の性質によって墨率・墨入れ方式を変えることで、文字等は黒々と印字して印字コストを削減でき、写真は鮮やかに再現することができる。
【００７６】
なお、本実施例では、３→４信号の墨入れ方式を用いた場合を説明したが、第２実施例で述べたように３→４信号の変換をルックアップテーブル（ＬＵＴ）を複数用いて行うようにすることも可能である。
【図面の簡単な説明】
【００７７】
【図１】この発明に係る第１実施例の画像処理装置を適用したデジタルカラー複写機の全体構成を示すブロック図。
【図２】第１実施例の墨入れ処理部の構成を示す図。
【図３】第１実施例の墨入れ処理部を説明するための図。
【図４】第１実施例の圧縮部の構成を示す図。
【図５】第１実施例のＤＣＴ変換による圧縮を説明するための図。
【図６】第１実施例の逆ＤＣＴ変換による復号を説明するための図。
【図７】第１実施例の墨入れ処理から圧縮・復号までを説明するための図。
【図８】この発明に係る第２実施例の画像処理装置を適用したデジタルカラー複写機の全体構成を示すブロック図。
【図９】第２実施例の電子ソートの動作を説明するための図。
【図１０】第２実施例の１次元４値誤差拡散による圧縮を説明するための図。
【図１１】第２実施例の４値誤差拡散の閾値と量子化値を説明するための図。
【図１２】第２実施例の色変換を説明するための図。
【図１３】第２実施例の色変換部の構成を示す図。
【図１４】第２実施例の色変換部の構成を示す図。
【図１５】第２実施例の圧縮・復号、色変換までを説明するための図。
【図１６】この発明に係る第２実施例の変形例の画像処理装置を適用したデジタルカラー複写機の全体構成を示すブロック図。
【図１７】第２実施例の変形例の色変換を説明するための図。
【図１８】第２実施例の変形例の墨入れ処理部の構成を示す図。
【図１９】第２実施例の変形例の圧縮・復号、色変換、墨入れを説明するための図。
【図２０】この発明に係る第３実施例の画像処理装置を適用したデジタルカラー複写機の全体構成を示すブロック図。
【図２１】第３実施例の識別装置の構成を示す図。
【図２２】第３実施例の識別装置を説明するための図。
【図２３】第３実施例の墨入れ処理部の構成を示す図。
【図２４】第３実施例の識別・色変換・墨入れを説明するための図。
【符号の説明】
【００７８】
１００１，２００１，３００１…スキャナ
１００２，２００６，２００７，２０１７，３００３…色変換部
１００３，２０１８，３００４…墨入れ処理部
１００４，２００３…圧縮部
１００５，２００４…メモリ
１００６，２００５…復号部
１００７，２００９，３００５…プリンタエンジン
１１００，２１００…制御回路
２００２，２００８…セレクタ
３００２…識別装置
【図１】
2008312264.tif 000005
【図２】
2008312264.tif 000006
【図３】
2008312264.tif 000007
【図４】
2008312264.tif 000008
【図５】
2008312264.tif 000009
【図６】
2008312264.tif 000010
【図７】
2008312264.tif 000011
【図８】
2008312264.tif 000012
【図９】
2008312264.tif 000013
【図１０】
2008312264.tif 000014
【図１１】
2008312264.tif 000015
【図１２】
2008312264.tif 000016
【図１３】
2008312264.tif 000017
【図１４】
2008312264.tif 000018
【図１５】
2008312264.tif 000019
【図１６】
2008312264.tif 000020
【図１７】
2008312264.tif 000021
【図１８】
2008312264.tif 000022
【図１９】
2008312264.tif 000023
【図２０】
2008312264.tif 000024
【図２１】
2008312264.tif 000025
【図２２】
2008312264.tif 000026
【図２３】
2008312264.tif 000027
【図２４】
2008312264.tif 000028